(57)【特許請求の範囲】
【請求項１】
建築物の軸組部材の室外側に断熱材を設ける外断熱構造であって、
前記軸組部材を断面形状がリップ溝型形状、Ｃ字状またはコ字状の金属製部材で構成し、この軸組部材の側方に隣接させて室外側表面を一致させて配置した桟木を固定し、この桟木および前記軸組部材の室外側に断熱材を配置して当該桟木に固定するとともに、この断熱材を挾む室外側に胴縁を配置して前記桟木に固定したことを特徴とする建築物の外断熱構造。
【請求項２】
前記桟木を、前記軸組部材の側方に配置するのに替えて前記軸組部材の中空部内に配置し、かつ当該軸組部材の室外側に突出させずに配置したことを特徴とする請求項１記載の建築物の外断熱構造。
【請求項３】
前記断熱材と前記軸組部材の室外側との間に板材を設けたことを特徴とする請求項１または２記載の建築物の外断熱構造。
【発明の詳細な説明】
【０００１】
【発明の属する技術分野】
この発明は、建築物の外断熱構造に関し、鉄骨材等の金属製の軸組部材に断熱材を取り付ける場合の緊結用の釘などの先端部に結露が生じないようにし、断熱性能の向上を図るようにしたものである。
【０００２】
【従来の技術】
近年、木造やＲＣ造の住宅をはじめとする建築物では、省エネルギのため建築物の外気に接する外壁部、屋根部などに断熱材を設けて断熱することが普及しており、軸組の室外側に断熱材を取り付けることで建築物全体を切れ目なく覆うことができる外断熱工法が、従来の軸組の間に断熱材を取り付けるいわゆる充填断熱工法に比べて断熱性能が優れることから、採用されることが多くなってきている。
【０００３】
一方、最近のリサイクルに対する要求は建築物についても高まりつつあり、軸組を木材やＲＣからリサイクル性に優れる鉄材等の金属製の軸組に替えた住宅建築物が注目されている。
【０００４】
このような金属製の軸組に対して外断熱構造とする場合には、例えば図３（ａ）に示すように、金属製の軸組である鉄骨材１の室外側Ａに板状の面材２ａと断熱材２ｂとが一体にされた断熱パネル２をビスなどの緊結材３で鉄骨材１に取り付け、この断熱パネル２の室外側Ａに胴縁４を配置してビスなどの緊結材５で鉄骨材１に固定し、この胴縁４の室外側Ａに外装材６を取り付けることで断熱パネル２との間に通気層７を設けるようにし、鉄骨材１の室内側Ｂに内装材８を取り付けて構成される。
【０００５】
このような鉄骨材１に断熱パネル２を取り付けた外断熱構造では、例えば冬期、室内を暖房すると、胴縁４を固定するビスなどの緊結材５の頭部５ａが外気温度に接する一方、先端部５ｂが室内温度に接するため、この緊結材５がヒートブリッジとなってその先端部５ｂが低温になって結露が発生してしまう。
【０００６】
そこで、このようなヒートブリッジの発生を防止するため、例えば特開２０００−２３０２８９号公報に開示された断熱パネルの取付構造では、図３（ｂ）に示すように、軸組である鉄骨材１への取付位置に対応する断熱パネル２の断熱材２ｂを取り除いて断熱材欠損部２ｃを設けておき、この断熱材欠損部２ｃの板状の面材２ａをビスなどの緊結材３ａで鉄骨材１に取り付けたのち、断熱材欠損部２ｃに桟木９を配置してビスなどの緊結材１０で鉄骨材１に取り付ける。
【０００７】
そして、この桟木９の室外側Ａに胴縁４を配置して、先端部５ｂが鉄骨材１に達することなく桟木９内に位置するビスなどの緊結材５で固定するようにしている。
【０００８】
このような桟木９を介して胴縁４を固定することで、胴縁４を取り付けるビスなどの緊結材５の頭部５ａと先端部５ｂとの温度差を無くすことでヒートブリッジとなって緊結材５の先端部５ｂに結露が生じることを防止する。
【０００９】
【発明が解決しようとする課題】
ところが、このような断熱パネル２の軸組への取付位置に対応する部分の断熱材２ｂを取り除いて断熱材欠損部２ｃを形成する必要があり、施工に手間が掛かるとともに、断熱材２ｂに代えて木製の桟木９を介装することから断熱材２ｂに切れ目ができ、外断熱工法の特徴を生かすことができないという問題がある。
【００１０】
また、板状の面材２ａと断熱材２ｂとが接着などで一体にされた断熱パネル２でなく、断熱材２ｂだけを用いて断熱施工を行おうとすると、断熱材２ｂの固定がやり難く、別な取付構造を必要とするなどの問題がある。
【００１１】
この発明は、かかる従来技術の課題に鑑みてなされたもので、鉄骨材などの金属製の軸組に対して外断熱工法とする場合にもヒートブリッジによりビスなどの緊結材の先端部等に結露が生じることがなく、施工も容易で断熱性能にも優れる建築物の外断熱構造を提供しようとするものである。
【００１２】
【課題を解決するための手段】
上記従来技術が有する課題を解決するこの発明の請求項１記載の建築物の外断熱構造は、建築物の軸組部材の室外側に断熱材を設ける外断熱構造であって、前記軸組部材を断面形状がリップ溝型形状、Ｃ字状またはコ字状の金属製部材で構成し、この軸組部材の側方に隣接させて室外側表面を一致させて配置した桟木を固定し、この桟木および前記軸組部材の室外側に断熱材を配置して当該桟木に固定するとともに、この断熱材を挾む室外側に胴縁を配置して前記桟木に固定したことを特徴とするものである。
【００１３】
この建築物の外断熱構造によれば、建築物の軸組部材の室外側に断熱材を設ける外断熱構造で、前記軸組部材を断面形状がリップ溝型形状、Ｃ字状またはコ字状の金属製部材で構成し、この軸組部材の側方に隣接させて室外側表面を一致させて配置した桟木を固定し、この桟木および前記軸組部材の室外側に断熱材を配置して当該桟木に固定するとともに、この断熱材を挾む室外側に胴縁を配置して前記桟木に固定するようにしたので、軸組部材が金属製であっても桟木を介して断熱材を取り付けることおよび胴縁を緊結材で桟木に取り付けることで、ヒートブリッジにより断熱材および胴縁を取り付けるビスなどの緊結材に結露が生じることを防止し、しかも施工も容易にできるようにしている。また、桟木を前記軸組部材の側方に隣接させて室外側表面を一致させて配置するようにしており、金属製の軸組部材の側方に外側表面が一致して隣接する桟木に断熱材を取り付けることができるようになる。
【００１６】
さらに、この発明の請求項２記載の建築物の外断熱構造は、請求項１記載の構成に加え、前記桟木を、前記軸組部材の側方に配置するのに替えて前記軸組部材の中空部内に配置し、かつ当該軸組部材の室外側に突出させずに配置したことを特徴とするものである。
【００１７】
この建築物の外断熱構造によれば、桟木を、前記軸組部材の側方に配置するのに替えて前記軸組部材の中空部内に配置し、かつ当該軸組部材の室外側に突出させずに配置するようにしており、この桟木に断熱材を取り付けることで、ヒートブリッジにより断熱材および胴縁を取り付けるビスなどの緊結材に結露が生じることを防止し、しかも施工も容易にできるとともに、桟木によって軸組部材の補強がなされ、地震などの揺れによるねじれやズレなどを防止できるようになる。
【００１８】
また、この発明の請求項３記載の建築物の外断熱構造は、請求項１または２記載の構成に加え、前記断熱材と前記軸組部材の室外側との間に板材を設けたことを特徴とするものである。
【００１９】
この建築物の外断熱構造によれば、断熱材と軸組部材の室外側との間に板材を設けるようにしており、より一層住宅の気密性や防湿性を高めることができるとともに、耐力壁にすることもでき、構造体としても優れたものとなる。
【００２０】
【発明の実施の形態】
以下、この発明の実施の形態を図面を参照しながら詳細に説明する。
図１はこの発明の建築物の外断熱構造を外壁部に適用した一実施の形態にかかる概略断面図である。
【００２１】
この建築物の外断熱構造２０では、図１（ａ），（ｂ）に示すように、金属製の軸組部材である鉄骨材２１の側方に室外側表面を一致させて木材製や合成木材製等の断熱性の高い桟木２２が配置され、桟木２２がボルト等の緊結材２３で鉄骨材２１に固定してある。
【００２２】
そして、鉄骨材２１および桟木２２の室外側Ａの表面に、図１（ａ）に示すように、板材２４ａと断熱材２４ｂとで構成される断熱パネル２４が配置され、板材２４ａを釘などの緊結材２５で桟木２２に固定するとともに、断熱材２４ｂを釘などの緊結材２５で桟木２２に固定し、いずれの緊結材２５の先端が桟木２２内に位置するようにする。
【００２３】
また、鉄骨材２１および桟木２２の室外側Ａの表面に、図１（ｂ）に示すように、板材のない断熱材２６だけを配置し、釘などの緊結材２５で桟木２２に固定し、緊結材２５の先端が桟木２２内に位置するようにしても良い。
【００２４】
こうして桟木２２に固定した断熱材２４ｂ，２６の室外側Ａには、胴縁２７が配置され、断熱材２４ｂ，２６を貫通する釘などの緊結材２８で桟木２２に固定され、この緊結材２８の先端も桟木２２内に位置するようにする。
【００２５】
この胴縁２７の室外側Ａに外装材２９を取り付けることで断熱材２４ｂ，２６との間に通気層３０を設けるようにし、鉄骨材２１の室内側Ｂに内装材３１を取り付けて外断熱構造が構成される。
【００２６】
このような建築物の外断熱構造２０によれば、例えば冬期、室内を暖房すると、胴縁２７を固定する釘などの緊結材２８の頭部２８ａが外気温度に接する一方、先端部２８ｂが断熱性や保温性の高い桟木２２の内部に配置されてるため、この緊結材２８がヒートブリッジとなることがなく、緊結材２８の先端部２８ｂが低温になって結露が発生することを防止できる。
【００２７】
また、施工時には、金属製の軸組部材である鉄骨材２１にボルトなどの緊結材２３で桟木２２を固定するだけで、これまでと同様に施工することができ、断熱材の一部を取り除く必要もなく簡単に施工することができる一方、リサイクル時の解体分別も鉄骨材２１と桟木２２との固定状態をボルトなどの緊結材２３を外すことで簡単に行うことができる。
【００２８】
さらに、この建築物の外断熱構造２０によれば、特別な部材を必要とせず、桟木２２をボルトなどの緊結材２３で取り付けるだけで良く、特別な工法や納まりを必要とせず、しかも安価である。
【００２９】
また、断熱材２４ｂに切れ目がなく、完全に軸組部材である鉄骨材２１の外側を覆って外断熱構造とすることができる。
【００３０】
さらに、この建築物の外断熱構造２０によれば、断熱材２４ｂと軸組部材である鉄骨材２１および桟木２２の室外側との間に板材２４ａを設けてあるので、この板材２４ａによって、より一層住宅の気密性や防湿効果を高めることができるとともに、耐力壁にすることもでき、構造体としても強度の優れたものにすることができる。
【００３１】
このような建築物の外断熱構造２０に用いる軸組部材としては、鉄骨材のほか他の金属製であっても良く、鉄、ステンレス、アルミニウム、銅、各種合金などの種々の材料のものが使用され、その断面形状もリップ溝型鋼の場合に限らず、Ｃ字状、またはコ字状等のほか、矩形や円形など中空閉断面、あるいは中実材などであっても良い。
【００３２】
また、桟木２２としては、断熱性や保温性の高い木材や合成木材が使用でき、針葉樹や広葉樹を問わずどのような材木であっても良く、ＭＤＦやＬＶＬ等の合成材木であっても良いが、特に好ましくはスギ、スプルース、マツ、ヒノキ、ツガ、集成材が使用される。
【００３３】
さらに、断熱材２４ｂ，２６としては、一般的に使用されている断熱材のいずれも使用することができ、例えば硬質ポリウレタンフォーム、スチレンフォーム、フェノールフォーム、イソシアヌレートフォーム、ポリエチレンフォーム、発泡ゴム等のプラスチック系断熱材のほか、グラスウール、ロックウール等の無機繊維系断熱材、セルローズファイバ等の有機繊維系断熱材などをあげることができる。なお、断熱材２４ｂ，２６には、表面および／または裏面に防湿や気密のためのライナー紙やクラフト紙などの紙、ポリエチレンフィルムやポリエステルフィルムなどの合成樹脂フィルム、鉄やアルミニウムやステンレスなどの金属箔や蒸着層等があってもなくても良い。
【００３４】
板材２４ａとしては、合板、ベニヤ板、構造用合板、パーティクルボード、ハードボード、シージングボード、石膏や珪酸カルシムなどの無機質板、硬質木片セメント板、ラスシート、板紙、ライナー紙やクラフト紙、炭酸カルシウム混抄紙などの紙、ポリエチレンフィルムやポリエステルフィルムなどの合成樹脂フィルムやシート、鉄やアルミニウムやステンレスなどの金属箔や蒸着層等、またはこれらの複層品等、板状、シート状、フィルム状のものなら何でも使用することができる。なお、断熱パネル２４とする場合には、板材２４ａと断熱材２４ｂを互いに接着した構造であることが必要であり、市販の接着剤または硬質ポリウレタンフォームのように断熱材の自己接着性によって接着させても良い。
【００３５】
桟木２２、断熱パネル２４、断熱材２６、胴縁２７を固定する緊結材２３，２５，２８としては、市販されているビス、ねじ、釘、ボルトなどを使用でき、材質は鉄、ステンレス、銅、アルミニウム等の金属やセラミック、エンジニアプラスチックなどのものを使用することができる。
【００３６】
そのほか、胴縁２７、外装材２９、内装材３１としては、通常の建築物に使用されているものをそのまま使用することができる。
【００３７】
次に、この発明の建築物の外断熱構造の他の一実施の形態について、図２に示す外壁部を例に説明するが、既に説明した実施の形態と同一部分には、同一記号を記してある。
【００３８】
この建築物の外断熱構造４０では、金属製の軸組部材である鉄骨材２１に取り付ける桟木４１が鉄骨材２１の側方でなく、リップ溝型鋼の中空部内に配置され、ボルトなどの緊結材４２で鉄骨材２１に固定してある。
【００３９】
そして、鉄骨材２１の室外側Ａに断熱パネル２４が配置され、板材２４ａおよび断熱材２４ｂがビスなどの緊結材２５で桟木４１に固定され、緊結材２５の先端部２５ｂが桟木４１内に位置するようにしてある。
【００４０】
この断熱材２４ｂの室外側Ａには、同様に、胴縁２７が配置されてビスなどの緊結材２８で桟木４１に固定され、胴縁２７の室外側に外装材２９が、鉄骨材２１の室内側Ｂに内装材３１が取り付けられて外断熱構造が構成される。
【００４１】
このような建築物の外断熱構造４０によれば、例えば冬期、室内を暖房すると、胴縁２７を固定する釘などの緊結材２８の頭部２８ａが外気温度に接する一方、先端部２８ｂが断熱性や保温性の高い桟木４１の内部に配置されてるため、この緊結材２８がヒートブリッジとなることがなく、緊結材２８の先端部２８ｂが低温になって結露が発生することを防止できる。
【００４２】
また、施工時には、金属製の軸組部材である鉄骨材２１にボルトなどの緊結材４２で桟木４１を固定するだけで、これまでと同様に施工することができ、断熱材の一部を取り除く必要もなく簡単に施工することができる一方、リサイクル時の解体分別も鉄骨材２１と桟木４１との固定状態をボルトなどの緊結材４２を外すことで簡単に行うことができる。
【００４３】
さらに、この建築物の外断熱構造４０によれば、金属製の軸組部材である鉄骨材２１の中空部内にボルトなどの緊結材４２で桟木４１が固定してあるので、桟木４１によって軸組部材である鉄骨材２１の補強がなされ、例えば地震などによる揺れが起きたとしても、軸組のねじれやズレなどを防止することができる。
【００４４】
また、既に説明した上記実施の形態と同様な効果を奏することはいうまでもない。
【００４５】
なお、上記実施の形態では、それぞれ外壁部の場合を例に説明したが、これに限らず屋根部等に適用することができる。
【００４６】
また、建築物としても戸建て住宅、集合住宅、倉庫、事務所ビル、商業ビル等金属製の軸組部材を備え、断熱材を室外側に取り付ける場合に広く適用することができる。
【００４７】
【発明の効果】
以上、一実施の形態とともに具体的に説明したようにこの発明の請求項１記載の建築物の外断熱構造によれば、建築物の軸組部材の室外側に断熱材を設ける外断熱構造で、前記軸組部材を断面形状がリップ溝型形状、Ｃ字状またはコ字状の金属製部材で構成し、この軸組部材の側方に隣接させて室外側表面を一致させて配置した桟木を固定し、この桟木および前記軸組部材の室外側に断熱材を配置して当該桟木に固定するとともに、この断熱材を挾む室外側に胴縁を配置して前記桟木に固定するようにしたので、軸組部材が金属製であっても桟木を介して断熱材を取り付けることおよび胴縁を桟木に取り付けることで、ヒートブリッジにより断熱材および胴縁を取り付けるビスなどの緊結材に結露が生じることを防止でき、しかも施工も容易に行うことができる。また、桟木を前記軸組部材の側方に隣接させて室外側表面を一致させて配置するようにしたので、金属製の軸組部材の側方に外側表面が一致して隣接する桟木に断熱材を取り付けることができ、施工も容易に行うことができる。
【００４９】
さらに、この発明の請求項２記載の建築物の外断熱構造によれば、桟木を、前記軸組部材の側方に配置するのに替えて前記軸組部材の中空部内に配置し、かつ当該軸組部材の室内側に突出させずに配置するようにしたので、この桟木に断熱材を取り付けることで、ヒートブリッジにより断熱材および胴縁を取り付けるビスなどの緊結材に結露が生じることを防止することができ、しかも施工も容易に行うことができるとともに、桟木によって軸組部材の補強がなされ、地震などの揺れによるねじれやズレなどを防止することができる。
【００５０】
また、この発明の請求項３記載の建築物の外断熱構造によれば、断熱材と軸組部材の室外側との間に板材を設けるようにしたので、より一層住宅の気密性や防湿性を高めることができるとともに、耐力壁にすることもでき、構造体としても強度の優れたものにすることができる。
【図面の簡単な説明】
【図１】それぞれこの発明の建築物の外断熱構造を外壁部に適用した一実施の形態にかかる概略断面図である。
【図２】この発明の建築物の外断熱構造を外壁部に適用した他の一実施の形態にかかる概略断面図である。
【図３】それぞれ従来の建築物の外断熱構造にかかる概略断面図である。
【符号の説明】
２０  建築物の外断熱構造
２１  鉄骨材（金属製の軸組部材）
２２  桟木
２３  緊結材
２４  断熱パネル
２４ａ  板材
２４ｂ  断熱材
２５  緊結材
２６  断熱材
２７  胴縁
２８  緊結材
２８ａ  頭部
２８ｂ  先端部
２９  外装材
３０  通気層
３１  内装材
４０  建築物の外断熱構造
４１  桟木
４２  緊結材
Ａ  室外側
Ｂ  室内側
【図１】
0003934456.tif 000002
【図２】
0003934456.tif 000003
【図３】
0003934456.tif 000004